(57)【要約】【課題】目的地を容易に選択可能とする情報処理装置、情報処理システムおよびプログラムを提供する。【解決手段】第１位置情報を外部装置から受信する受信部と、第１位置情報を選択可能に表示部に表示させる表示制御部と、第１位置情報の選択を受け付ける受付部と、受け付けられた第１位置情報を、経路案内の目的地として設定可能な特定形式に変換した第２位置情報を取得する取得部と、第２位置情報で示される位置を目的地として選択する選択部と、を備える。【選択図】図１
2015114128.tif 000002
【特許請求の範囲】
【請求項１】
第１位置情報を外部装置から受信する受信部と、
前記第１位置情報を選択可能に表示部に表示させる表示制御部と、
前記第１位置情報の選択を受け付ける受付部と、
受け付けられた前記第１位置情報を、経路案内の目的地として設定可能な特定形式に変換した第２位置情報を取得する取得部と、
前記第２位置情報で示される位置を目的地として選択する選択部と、
を備える情報処理装置。
【請求項２】
前記取得部は、入力された位置情報を前記特定形式に変換するサーバ装置に対して、前記第１位置情報の変換を要求し、要求に応じて前記サーバ装置から送信された第２位置情報を取得する、
請求項１に記載の情報処理装置。
【請求項３】
入力された位置情報を前記特定形式に変換する変換部をさらに備え、
前記取得部は、前記変換部に対して、前記第１位置情報の変換を要求し、前記変換部により変換された第２位置情報を取得する、
請求項１に記載の情報処理装置。
【請求項４】
選択された前記目的地をナビゲーション装置に送信する通信制御部をさらに備える、
請求項１に記載の情報処理装置。
【請求項５】
サーバ装置と情報処理装置とを含む情報処理システムであって、
前記サーバ装置は、
入力された位置情報を、経路案内の目的地として設定可能な特定形式に変換する変換部を備え、
前記情報処理装置は、
第１位置情報を外部装置から受信する受信部と、
前記第１位置情報を選択可能に表示部に表示させる表示制御部と、
前記第１位置情報の選択を受け付ける受付部と、
前記サーバ装置に対して、受け付けられた前記第１位置情報の変換を要求し、要求に応じて前記サーバ装置から送信された第２位置情報を取得する取得部と、
前記第２位置情報で示される位置を目的地として選択する選択部と、
を備える情報処理システム。
【請求項６】
コンピュータを
第１位置情報を外部装置から受信する受信部と、
前記第１位置情報を選択可能に表示部に表示させる表示制御部と、
前記第１位置情報の選択を受け付ける受付部と、
受け付けられた前記第１位置情報を、経路案内の目的地として設定可能な特定形式に変換した第２位置情報を取得する取得部と、
前記第２位置情報で示される位置を目的地として選択する選択部、
として機能させるためのプログラム。
【発明の詳細な説明】
【技術分野】
【０００１】
本発明は、情報処理装置、情報処理システムおよびプログラムに関する。
【背景技術】
【０００２】
ナビゲーション装置は、車などの移動体に搭載され、ＧＰＳ（Ｇｌｏｂａｌ  Ｐｏｓｉｔｉｏｎｉｎｇ  Ｓｙｓｔｅｍ）衛星から送信される信号を受信して移動体の現在位置を検出する。そして、移動体の現在位置をナビゲーション装置に記憶されている地図情報と共に表示することで、ユーザは移動体の現在位置を認識することができる。また、ユーザが目的地を設定することで、ナビゲーション装置が移動体の現在地と設定された目的地との間の最適な経路を探索し、この経路を地図上に表示して目的地までの案内を実施する。
【０００３】
従来は、住所やＰＯＩ（施設情報）等のメニューから多数の手順を踏んで目的地を選択していた。特許文献１は、電子メールのヘッダ部に含まれる位置情報を目的地や経由地として設定可能とする通信システムを提案している。
【先行技術文献】
【特許文献】
【０００４】
【特許文献１】特開２００５−０８４９９７号公報
【発明の概要】
【発明が解決しようとする課題】
【０００５】
電話やメール等で案内する場合に、ランドマーク等の判りやすい場所であれば目的地を比較的設定しやすい。しかし、目印が周りに存在しない場所や住所が正確に判らない場所では、目的地の設定に手間がかかるという問題がある。また、位置情報に緯度および経度の情報が埋め込まれていないような場合は、目的地の設定が困難である。
【０００６】
本発明は、上記に鑑みてなされたものであって、目的地を容易に選択可能とする情報処理装置、情報処理システムおよびプログラムを提供することを目的とする。
【課題を解決するための手段】
【０００７】
上述した課題を解決し、目的を達成するために、本発明は、第１位置情報を外部装置から受信する受信部と、前記第１位置情報を選択可能に表示部に表示させる表示制御部と、前記第１位置情報の選択を受け付ける受付部と、受け付けられた前記第１位置情報を、経路案内の目的地として設定可能な特定形式に変換した第２位置情報を取得する取得部と、前記第２位置情報で示される位置を目的地として選択する選択部と、を備える。
【発明の効果】
【０００８】
本発明にかかる情報処理装置、情報処理システムおよびプログラムは、目的地を容易に選択可能となるという効果を奏する。
【図面の簡単な説明】
【０００９】
【図１】図１は、第１の実施形態にかかる通信システムの構成の一例を示すブロック図である。
【図２】図２は、第１の実施形態における目的地設定処理の一例を示すシーケンス図である。
【図３】図３は、通信装置によるメール送信処理の一例を示す図である。
【図４】図４は、ナビゲーション装置の画面例を示す図である。
【図５】図５は、第２の実施形態にかかる通信システムの構成の一例を示すブロック図である。
【図６】図６は、第２の実施形態における目的地設定処理の一例を示すシーケンス図である。
【図７】図７は、第３の実施形態にかかる通信システムの構成の一例を示すブロック図である。
【図８】図８は、第３の実施形態における目的地設定処理の一例を示すシーケンス図である。
【図９】図９は、第１から第３の実施形態にかかる各装置のハードウェア構成を示す説明図である。
【発明を実施するための形態】
【００１０】
以下に、本発明にかかる情報処理装置、情報処理システムおよびプログラムの実施形態を図面に基づいて詳細に説明する。なお、この実施形態によりこの発明が限定されるものではない。
【００１１】
（第１の実施形態）
第１の実施形態にかかる情報処理装置としてのナビゲーション装置は、受信したメールのリンク等から選択した位置情報を、サーバ装置に送信し、サーバ装置により変換された位置情報を目的地として設定可能とする。サーバ装置は、受信した位置情報を、経路案内の目的地として設定可能な形式（特定形式）の位置情報に変換する機能を備える。これにより、メール等で指定された位置情報を用いて目的地を容易に設定可能となる。また、例えば、メール等で指定された位置情報に緯度および経度などの情報が含まれない場合であっても、経路案内の目的地として設定可能な特定形式に変換された位置情報を取得し、設定することが可能となる。
【００１２】
図１は、第１の実施形態にかかる通信システムの構成の一例を示すブロック図である。図１に示すように、第１の実施形態の通信システムは、情報処理装置としてのナビゲーション装置１００と、外部装置としての通信装置２００と、サーバ装置３００と、を含む。なお、各装置はいずれも１個に限られるものではなく、それぞれ複数の装置を含んでもよい。ネットワーク４００は、各装置を接続するネットワークである。ネットワーク４００は、インターネットなどの任意の形態のネットワークを適用できる。
【００１３】
通信装置２００は、ナビゲーション装置１００に対して、位置情報を含むメール等の情報を送信可能な装置である。例えば、携帯電話およびスマートフォンなどを通信装置２００として用いることができる。ナビゲーション装置１００に位置情報を含む情報を送信する方法は、メールに限られるものではない。例えば、ＳＮＳ（ソーシャルネットワークサービス）等のサービスが提供するメッセージ送受信機能などを適用してもよい。
【００１４】
サーバ装置３００は、ナビゲーション装置１００などから受信した位置情報（第１位置情報）を、経路案内の目的地として設定可能な特定形式の位置情報（第２位置情報）に変換して、送信元の装置に返信する機能を備える。サーバ装置３００は、通信部３０１と、変換部３０２と、記憶部３２１と、を備え、通信部３０１および記憶部３２１は図示しないＣＰＵ（Central  Processing  Unit）等の制御部により制御され、変換部３０２は図示しない制御部がプログラムを実行することにより実現される。
【００１５】
通信部３０１は、ナビゲーション装置１００および通信装置２００などを含む外部の装置との間の通信を行う。例えば、通信部３０１は、ナビゲーション装置１００から送信された位置情報を受信する。また、通信部３０１は、受信した位置情報が変換部３０２によって変換された位置情報（第２位置情報）を、ナビゲーション装置１００に送信する。
【００１６】
変換部３０２は、入力（受信）された位置情報を、経路案内の目的地として設定可能な特定形式の位置情報に変換する。例えばナビゲーション装置１００が、緯度および経度によって目的地を設定する場合は、変換部３０２は、入力された位置情報（以下、入力位置情報という）を、緯度および経度を含む形式の位置情報に変換する。
【００１７】
入力位置情報は、少なくとも目的地として設定可能な程度に位置を特定できる情報であればよい。例えば、住所および施設の名称などを入力位置情報とすることができる。また、入力位置情報が緯度および経度の情報を含んでいてもよい。入力位置情報の形式のままでは目的地として設定できないような場合であっても、変換部３０２により、目的地として設定できる形式（特定形式）に変換できる。
【００１８】
変換部３０２は、例えば、住所などによって位置を特定する位置情報と、緯度および経度とを対応づけた情報（変換情報）を記憶する記憶部３２１を参照することにより、入力位置情報を特定形式の位置情報に変換する。変換部３０２による変換方法はこれに限られるものではなく、入力位置情報を特定形式の位置情報に変換できる方法であればどのような方法であってもよい。
【００１９】
例えばサーバ装置３００が、地図情報（位置情報）を提供する機能（地図情報サービス）を備える場合は、以下のように構成してもよい。サーバ装置３００は、通信装置２００を含む装置に対して、地図情報の表示機能、および、表示した地図上で指定された位置の位置情報をメールで送信する機能などを提供する。このとき、サーバ装置３００は、指定された位置の緯度および経度と、指定された位置に割り当てた識別情報とを対応づけて記憶部３２１等に記憶しておく。サーバ装置３００は、この識別情報を含んだメールを送信する機能を提供する。通信装置２００は、このような機能を利用して、ナビゲーション装置１００に、位置情報（識別情報）をリンクとして含むメールを送信する。ナビゲーション装置１００は、メールからリンクが選択されると、リンクに対応する識別情報をサーバ装置３００に送信する。サーバ装置３００の変換部３０２は、受信した識別情報を、この識別情報に対応づけて記憶されている経度および緯度を含む位置情報に変換する。
【００２０】
記憶部３２１は、サーバ装置３００による各処理で使用する情報などを記憶する。例えば、記憶部３２１は、変換部３０２が参照する変換情報を記憶する。
【００２１】
ナビゲーション装置１００は、通信制御部１０１と、表示制御部１０２と、受付部１０３と、取得部１０４と、選択部１０５と、ナビゲーション制御部１０６と、位置検出部１１１と、表示部１１２と、操作部１１３と、通信部１１４と、記憶部１２１と、を備えている。通信制御部１０１、表示制御部１０２、受付部１０３、取得部１０４、選択部１０５、ナビゲーション制御部１０６は、例えば、ナビゲーション装置１００が備えるＣＰＵなどの処理装置にプログラムを実行させること、すなわち、ソフトウェアにより実現してもよいし、ＩＣ（Integrated  Circuit）などのハードウェアにより実現してもよいし、ソフトウェアおよびハードウェアを併用して実現してもよい。
【００２２】
位置検出部１１１は、ナビゲーション装置１００、または、ナビゲーション装置１００が搭載される移動体（車両など）の位置を特定する情報を取得する。位置検出部１１１は、例えば、移動体の角速度を検出するためのセンサ（図示せず）、および、ＧＰＳ衛星から送信されるＧＰＳ信号を受信するアンテナ（図示せず）などを備える。センサで検出された自車両の角速度やアンテナで受信されたＧＰＳ信号は、ナビゲーション制御部１０６へ出力される。ＧＰＳ信号には、自車両の位置と現在時刻を求めるための情報として、そのＧＰＳ信号を送信したＧＰＳ衛星の位置と送信時刻に関する情報が含まれる。したがって、所定数以上のＧＰＳ衛星からＧＰＳ信号を受信することにより、これらの情報に基づいて自車両の現在位置と現在時刻を算出することができる。
【００２３】
表示部１１２は、表示制御部１０２の制御により各種情報を表示する、液晶ディスプレイなどの表示装置である。操作部１１３は、ナビゲーション装置１００を動作させるための各種入力操作を行うためのユーザインターフェースである。ユーザは、操作部１１３を操作することにより、例えば目的地に設定する施設や地点の名称等を入力したり、予め登録された登録地の中から目的地を選択したり、地図を任意の方向にスクロールしたりすることができる。操作部１１３は、例えば操作パネルやリモコンなどによって構成することができる。表示部１１２と操作部１１３とを一体化したタッチパネルを用いてもよい。
【００２４】
記憶部１２１は、ナビゲーション装置１００による各処理で使用する情報などを記憶する。例えば、記憶部１２１は、経路案内に利用する地図情報を記憶する。
【００２５】
通信部１１４は、通信制御部１０１の制御により、通信装置２００およびサーバ装置３００などを含む外部の装置との間の通信を行う。例えば、通信部１１４は、位置情報（第１位置情報）を含むメールなどの情報を通信装置２００から受信する。通信制御部１０１は、通信部１１４による通信装置２００やサーバ装置３００との通信を制御する。通信部１１４における受信機能および通信制御部１０１による受信制御によって受信部を構成する。
【００２６】
表示制御部１０２は、表示部１１２に対する各種情報の表示を制御する。表示制御部１０２は、例えば、通信装置２００から受信したメールを表示部１１２に表示する。このとき、表示制御部１０２は、メールに含まれる位置情報をリンク等によりユーザが選択可能に表示する。
【００２７】
受付部１０３は、表示された位置情報のうち、ユーザ等により選択された位置情報を受け付ける。例えば、受付部１０３は、表示されたメールから位置情報に対応するリンクがクリックされたときに、このリンクに対応する位置情報を選択された位置情報として受け付ける。位置情報を選択する方法は、リンクを選択（クリックなど）する方法に限られるものではなく、従来から用いられているあらゆる選択方法を適用できる。例えば、位置情報に対応するボタンを表示し、操作部１１３を用いてこのボタンが選択されたときに対応する位置情報を選択する方法を用いてもよい。
【００２８】
取得部１０４は、選択が受け付けられた位置情報を特定形式に変換した位置情報を取得する。本実施形態では、取得部１０４は、サーバ装置３００に対して、受け付けられた位置情報の変換を要求し、要求に応じてサーバ装置３００から送信された位置情報を取得する。
【００２９】
選択部１０５は、取得された位置情報で示される位置を目的地として選択する。
【００３０】
ナビゲーション制御部１０６は、経路案内に必要な各種処理を制御する。例えば、ナビゲーション制御部１０６は、選択部１０５により選択された目的地を、経路案内の目的地として設定し、経路案内を制御する。
【００３１】
また、記憶部１２１および記憶部３２１は、ＨＤＤ（Hard  Disk  Drive）、光ディスク、メモリカード、ＲＡＭ（Random  Access  Memory）などの一般的に利用されているあらゆる記憶媒体により構成することができる。
【００３２】
次に、このように構成された第１の実施形態にかかるナビゲーション装置１００による目的地設定処理について図２を用いて説明する。図２は、第１の実施形態における目的地設定処理の一例を示すシーケンス図である。
【００３３】
まず通信装置２００は、位置情報を含むメールをナビゲーション装置１００に送信する（ステップＳ１０１）。図３は、通信装置２００によるメール送信処理の一例を示す図である。図３は、携帯電話である通信装置２００が、サーバ装置３００が提供する地図情報サービスを利用してメールを送信する場合の例を示す。
【００３４】
画面３５１は、現在地を選択する画面の例である。現在地を示す情報３６１が選択されると、画面３５２に遷移する。画面３５２は、選択した現在地に対する処理を選択する画面の例である。現在地を送信するための選択肢３６２が選択されると、画面３５３に遷移する。画面３５３は、送信に利用する機能を選択する画面の例である。画面３５３では、Ｂｌｕｅｔｏｏｔｈ（登録商標）、メールＡ、およびメールＢによる送信のいずれかが選択できる。メールＡおよびメールＢは、通信装置２００で利用可能なメール送信機能を示す。ユーザは、位置情報をメールで送信する場合、利用するメール送信機能としてメールＡおよびメールＢのいずれかを選択する。図３では、メールＢに相当するアイコン３６３が選択された例が示されている。画面３５４は、メール送信機能が表示する画面の例である。図３では、現在地を示す住所と、サーバ装置３００で割り当てられた識別情報を含むリンクと、を含むメールの例が示されている。送信ボタン３６４が押下されると、このメールが、指定された宛先（図３では「userB@AA.com」）に送信される。
【００３５】
図２に戻り、ナビゲーション装置１００の表示制御部１０２は、通信装置２００から受信したメールを表示部１１２に表示する（ステップＳ１０２）。これにより、ユーザは、表示されたメールの内容の確認、および、メール内のリンクの選択が可能となる。ユーザによりリンクが選択された場合、受付部１０３は、リンクの選択を受け付ける（ステップＳ１０３）。取得部１０４は、選択されたリンクに対応する位置情報をサーバ装置３００に送信し、この位置情報の変換を要求する（ステップＳ１０４）。
【００３６】
サーバ装置３００に対する要求の送信方法はどのような方法であってもよい。図３のようにメールのリンクにサーバ装置３００のＵＲＬ（Ｕｎｉｆｏｒｍ  Ｒｅｓｏｕｒｃｅ  Ｌｏｃａｔｏｒ、図３では「http://BB.co.jp」）が含まれる場合であれば、このＵＲＬにアクセスする方法を適用してもよい。この場合、ナビゲーション装置１００は、経路案内のための処理のバックグラウンドでブラウザを起動し、ブラウザを用いてリンク（ＵＲＬ）にアクセスしてもよい。取得部１０４は、ブラウザによるアクセスで返信された情報から、変換された位置情報（例えば、緯度および経度）を取得できる。
【００３７】
サーバ装置３００の変換部３０２は、変換が要求された位置情報を、特定形式の位置情報に変換する（ステップＳ１０５）。サーバ装置３００の通信部３０１は、変換された位置情報をナビゲーション装置１００に送信する（ステップＳ１０６）。
【００３８】
ナビゲーション装置１００の選択部１０５は、受信した位置情報が示す位置を、経路案内の目的地として選択する（ステップＳ１０７）。ナビゲーション制御部１０６は、選択された目的地を設定して経路案内を制御する（ステップＳ１０８）。
【００３９】
次に、主に図２のステップＳ１０２からステップＳ１０８に対応するナビゲーション装置１００での処理の一例を、図４を用いて説明する。図４は、ナビゲーション装置１００の画面例を示す図である。
【００４０】
画面４５１は、図２のステップＳ１０２で表示されるメールの一例を示す。ユーザがメール内のリンク４６１を選択すると、画面４５２が表示される。画面４５２は、選択されたリンクに対する動作（アクション）をさらに選択させるための画面である。図４では、リンクの情報をＢｌｕｅｔｏｏｔｈ（登録商標）で送信することを示すアイコンと、経路案内の目的地として設定することを示すアイコン（アイコン４６２）が選択可能に表示された例が示されている。
【００４１】
アイコン４６２が選択されると、ナビゲーション装置１００は、例えばバックグラウンドで動作するブラウザを用いて、選択されたリンクに対応するサーバ装置３００にアクセスする。サーバ装置３００からの返信には、変換された位置情報（例えば緯度および経度）が含まれる。この変換された位置情報が目的地として設定される。画面４５３は、目的地を設定した案内画面の例を示す。アイコン４６３は、経路案内のスタート地点を示す。アイコン４６４は、設定された目的地を示す。
【００４２】
このように、第１の実施形態にかかる情報処理装置（ナビゲーション装置）では、受信したメール等から選択した位置情報がサーバ装置により変換された位置情報を目的地として設定できる。これにより、メール等で指定された位置情報に緯度および経度などの情報が含まれない場合であっても、この位置情報を用いて目的地を容易に設定可能となる。
【００４３】
また、サーバ装置３００により、緯度および経度の情報が含まれていない位置情報からでも緯度および経度が取得できる位置情報に変換することができる。このため、例えば、通信装置２００やナビゲーション装置１００に、緯度および経度を取得するための専用アプリケーションを備える必要がない。サーバ装置３００が変換可能な形式の入力位置情報を送信できれば、通信装置２００およびナビゲーション装置１００のプラットホーム等に関係なく目的地の設定が可能となる。
【００４４】
（第２の実施形態）
第１の実施形態では、ナビゲーション装置１００がメールに含まれる位置情報の変換をサーバ装置３００に要求し、変換された位置情報を目的地として設定した。第２の実施形態にかかる情報処理装置は、ナビゲーション装置とは異なる携帯電話などの装置である。そして、この情報処理装置が、位置情報の変換をサーバ装置に要求し、変換された位置情報を目的地として設定するように、ナビゲーション装置に要求する。
【００４５】
図５は、第２の実施形態にかかる通信システムの構成の一例を示すブロック図である。図５に示すように、第２の実施形態の通信システムは、ナビゲーション装置１００−２と、通信装置２００と、サーバ装置３００と、情報処理装置５００−２と、を含む。なお、各装置はいずれも１個に限られるものではなく、それぞれ複数の装置を含んでもよい。
【００４６】
なお、通信装置２００およびサーバ装置３００は第１の実施形態と同様の構成を備えるため、同一の符号を付し説明を省略する。
【００４７】
第２の実施形態のナビゲーション装置１００−２は、受付部１０３、取得部１０４、および選択部１０５を削除したことが第１の実施形態と異なっている。その他の構成および機能は、第１の実施形態にかかるナビゲーション装置１００のブロック図である図１と同様であるので、同一符号を付し、ここでの説明は省略する。
【００４８】
情報処理装置５００−２は、通信制御部５０１と、表示制御部５０２と、受付部１０３と、取得部１０４と、選択部１０５と、表示部５１２と、操作部５１３と、通信部５１４とを備えている。受付部１０３、取得部１０４、および選択部１０５は、第１の実施形態のナビゲーション装置１００が備えていた各構成と同様であるため、同一の符号を付し説明を省略する。
【００４９】
表示部５１２は、表示制御部５０２の制御により各種情報を表示する、液晶ディスプレイなどの表示装置である。操作部５１３は、情報処理装置５００−２を動作させるための各種入力操作を行うためのユーザインターフェースである。操作部５１３は、例えば操作パネルやリモコンなどによって構成することができる。表示部５１２と操作部５１３とを一体化したタッチパネルを用いてもよい。
【００５０】
通信部５１４は、通信制御部５０１の制御により、通信装置２００、ナビゲーション装置１００−２およびサーバ装置３００などを含む外部の装置との間の通信を行う。例えば、通信制御部５０１は、位置情報（第１位置情報）を含むメールなどの情報を通信装置２００から受信する。また、通信部５１４は、選択部１０５により選択した目的地を示す情報を、ナビゲーション装置１００−２に送信する。目的地を示す情報を送信する方法としては、例えばＢｌｕｅｔｏｏｔｈ（登録商標）および無線ＬＡＮなどの無線通信を用いることができる。なお、ナビゲーション装置１００−２との間の通信方法は無線通信に限られるものではなく、任意の通信方法を適用できる。
【００５１】
表示制御部５０２は、表示部５１２に対する各種情報の表示を制御する。表示制御部５０２は、例えば、通信装置２００から受信したメールを表示部５１２に表示する。このとき、表示制御部５０２は、メールに含まれる位置情報をリンク等によりユーザが選択可能に表示する。
【００５２】
次に、このように構成された第２の実施形態にかかる情報処理装置５００−２による目的地設定処理について図６を用いて説明する。図６は、第２の実施形態における目的地設定処理の一例を示すシーケンス図である。
【００５３】
まず通信装置２００は、位置情報を含むメールを情報処理装置５００−２に送信する（ステップＳ２０１）。情報処理装置５００−２の表示制御部５０２は、通信装置２００から受信したメールを表示部５１２に表示する（ステップＳ２０２）。これにより、ユーザは、表示されたメールの内容の確認、および、メール内のリンクの選択が可能となる。ユーザによりリンクが選択された場合、受付部１０３は、リンクの選択を受け付ける（ステップＳ２０３）。取得部１０４は、選択されたリンクに対応する位置情報をサーバ装置３００に送信し、この位置情報の変換を要求する（ステップＳ２０４）。
【００５４】
サーバ装置３００の変換部３０２は、変換が要求された位置情報を、特定形式の位置情報に変換する（ステップＳ２０５）。サーバ装置３００の通信部３０１は、変換された位置情報を情報処理装置５００−２に送信する（ステップＳ２０６）。
【００５５】
情報処理装置５００−２の選択部１０５は、受信した位置情報が示す位置を、経路案内の目的地として選択する（ステップＳ２０７）。通信制御部５０１は、選択された目的地を示す情報を、ナビゲーション装置１００−２に送信する（ステップＳ２０８）。
【００５６】
ナビゲーション装置１００−２のナビゲーション制御部１０６は、送信された情報が示す目的地を設定して経路案内を制御する（ステップＳ２０９）。
【００５７】
このように、第２の実施形態にかかる情報処理装置では、受信したメール等から選択した位置情報がサーバ装置により変換された位置情報を目的地として、ナビゲーション装置に対して設定できる。これにより、メール等で指定された位置情報に緯度および経度などの情報が含まれない場合であっても、この位置情報を用いて目的地を容易に設定可能となる。
【００５８】
（第３の実施形態）
第３の実施形態では、第１および第２の実施形態のサーバ装置の変換部と同様の機能を、ナビゲーション装置自身が備える例を説明する。
【００５９】
図７は、第３の実施形態にかかる通信システムの構成の一例を示すブロック図である。図７に示すように、第３の実施形態の通信システムは、ナビゲーション装置１００−３と、通信装置２００と、を含む。なお、各装置はいずれも１個に限られるものではなく、それぞれ複数の装置を含んでもよい。
【００６０】
なお、通信装置２００は第１の実施形態と同様の構成を備えるため、同一の符号を付し説明を省略する。
【００６１】
第３の実施形態のナビゲーション装置１００−３は、取得部１０４−３の機能、記憶部１２１−３の機能、および、変換部３０２を追加したことが第１の実施形態と異なっている。その他の構成および機能は、第１の実施形態にかかるナビゲーション装置１００のブロック図である図１と同様であるので、同一符号を付し、ここでの説明は省略する。
【００６２】
変換部３０２の機能は、上記実施形態でサーバ装置３００に備えられた変換部３０２と同様であるため、同一の符号を付し説明を省略する。
【００６３】
取得部１０４−３は、ナビゲーション装置１００−３内の変換部３０２に対して、受け付けられた位置情報の変換を要求し、要求に応じて変換部３０２から送信された位置情報を取得する。
【００６４】
記憶部１２１−３は、変換部３０２が位置情報の変換時に参照する情報をさらに記憶する点が、第１の実施形態の記憶部１２１と異なっている。例えば、記憶部１２１−３は、経路案内に利用する地図情報などの他に、位置情報、緯度および経度を対応づけた変換情報を記憶する。変換情報には最新の位置情報が反映されることが望ましい。このため、例えば地図情報の更新と同様の方法で、変換情報を更新可能とするように構成してもよい。
【００６５】
次に、このように構成された第３の実施形態にかかるナビゲーション装置１００−３による目的地設定処理について図８を用いて説明する。図８は、第３の実施形態における目的地設定処理の一例を示すシーケンス図である。
【００６６】
まず通信装置２００は、位置情報を含むメールをナビゲーション装置１００−３に送信する（ステップＳ３０１）。ナビゲーション装置１００−３の表示制御部１０２は、通信装置２００から受信したメールを表示部１１２に表示する（ステップＳ３０２）。これにより、ユーザは、表示されたメールの内容の確認、および、メール内のリンクの選択が可能となる。ユーザによりリンクが選択された場合、受付部１０３は、リンクの選択を受け付ける（ステップＳ３０３）。取得部１０４−３は、選択されたリンクに対応する位置情報の変換を変換部３０２に要求する。この要求に応じて、変換部３０２が位置情報を変換する（ステップＳ３０４）。
【００６７】
ナビゲーション装置１００−３の選択部１０５は、変換された位置情報が示す位置を、経路案内の目的地として選択する（ステップＳ３０５）。ナビゲーション制御部１０６は、選択された目的地を設定して経路案内を制御する（ステップＳ３０６）。
【００６８】
このように、第３の実施形態にかかる情報処理装置では、サーバ装置を用いず、ナビゲーション装置単体であっても、第１の実施形態と同様の機能を実現できる。
【００６９】
次に、第１から第３の実施形態にかかる各装置（ナビゲーション装置、情報処理装置、通信装置、サーバ装置）のハードウェア構成について図９を用いて説明する。図９は、第１から第３の実施形態にかかる各装置のハードウェア構成を示す説明図である。
【００７０】
第１から第３の実施形態にかかる各装置は、ＣＰＵ（Central  Processing  Unit）５１などの制御装置と、ＲＯＭ（Read  Only  Memory）５２やＲＡＭ（Random  Access  Memory）５３などの記憶装置と、ネットワークに接続して通信を行う通信Ｉ／Ｆ５４と、各部を接続するバス６１を備えている。
【００７１】
第１から第３の実施形態にかかる各装置で実行されるプログラムは、ＲＯＭ５２等に予め組み込まれて提供される。
【００７２】
第１から第３の実施形態にかかる各装置で実行されるプログラムは、インストール可能な形式又は実行可能な形式のファイルでＣＤ−ＲＯＭ（Compact  Disk  Read  Only  Memory）、フレキシブルディスク（ＦＤ）、ＣＤ−Ｒ（Compact  Disk  Recordable）、ＤＶＤ（Digital  Versatile  Disk）等のコンピュータで読み取り可能な記録媒体に記録してコンピュータプログラムプロダクトとして提供されるように構成してもよい。
【００７３】
さらに、第１から第３の実施形態にかかる各装置で実行されるプログラムを、インターネット等のネットワークに接続されたコンピュータ上に格納し、ネットワーク経由でダウンロードさせることにより提供するように構成してもよい。また、第１から第３の実施形態にかかる各装置で実行されるプログラムをインターネット等のネットワーク経由で提供または配布するように構成してもよい。
【００７４】
第１から第３の実施形態にかかる各装置で実行されるプログラムは、コンピュータを上述した各装置の各部として機能させうる。このコンピュータは、ＣＰＵ５１がコンピュータ読取可能な記憶媒体からプログラムを主記憶装置上に読み出して実行することができる。
【符号の説明】
【００７５】
１００、１００−２、１００−３  ナビゲーション装置
１０１  通信制御部
１０２  表示制御部
１０３  受付部
１０４、１０４−３  取得部
１０５  選択部
１０６  ナビゲーション制御部
１１１  位置検出部
１１２  表示部
１１３  操作部
１１４  通信部
１２１、１２１−３  記憶部
２００  通信装置
３００  サーバ装置
３０１  通信部
３０２  変換部
３２１  記憶部
４００  ネットワーク
５００−２  情報処理装置
５０１  通信制御部
５０２  表示制御部
５１２  表示部
５１３  操作部
５１４  通信部
【図１】
2015114128.tif 000003
【図２】
2015114128.tif 000004
【図３】
2015114128.tif 000005
【図４】
2015114128.tif 000006
【図５】
2015114128.tif 000007
【図６】
2015114128.tif 000008
【図７】
2015114128.tif 000009
【図８】
2015114128.tif 000010
【図９】
2015114128.tif 000011